(57)【要約】【課題】金庫を何ら加工することなく、またその取り付け部を外から見えないように、金庫に付帯物（底板等）を取り付けて一体化させ、金庫の運搬を困難にして犯行時間を長引かせて、警備担当者等が駆けつけるまでの時間を得ること。【解決手段】底板１０３と金庫１０１との間に設けられて底板１０３と金庫１０１とを磁力により固着する永電磁石２０１、及び底板１０３と金庫１０１との固着部分を隙間無く覆う硬磁性体のカバー部１０２の内側に設けられ底板１０３とカバー部１０２とを磁力により固着する永電磁石２０２は、それぞれ、硬磁性体の棒材と心棒に巻かれたコイルから構成され、前記コイルに単極性電流を通電することにより前記棒材は着磁されて永久磁石化され、該棒材が永久磁石化された状態にあるとき前記コイルに減衰交番電流を通電することにより該棒材は脱磁されて非永久磁石化される構成を特徴とする。【選択図】      図２
2004197380.tif 000002
【特許請求の範囲】
【請求項１】
金庫に取り付けることにより少なくとも金庫の見かけ上の寸法を大きくする硬磁性体の付帯部材と、
前記付帯部材と金庫との間に設けられ、前記付帯部材と金庫とを磁力により固着する第１の固着手段と、
前記付帯部材と金庫との固着部分を隙間無く覆う硬磁性体のカバー部材と、
前記カバー部材の内側に設けられ、前記付帯部材と前記カバー部材とを磁力により固着する第２の固着手段とを有し、
前記第１の固着手段及び第２の固着手段は、それぞれ、硬磁性体の棒材と該棒材に巻かれたコイルから構成され、前記コイルに単極性電流を通電することにより前記棒材は着磁され永久磁石化されることを特徴とする金庫盗難防止装置。
【請求項２】
金庫に取り付けることにより少なくとも金庫の見かけ上の寸法を大きくする硬磁性体の付帯部材と、
前記付帯部材と金庫との間に設けられ、前記付帯部材と金庫とを磁力により固着する第１の固着手段と、
前記付帯部材と金庫との固着部分を隙間無く覆う硬磁性体のカバー部材と、
前記カバー部材の内側に設けられ、前記付帯部材と前記カバー部材とを機械的に固着する第３の固着手段とを有し、
前記第１の固着手段は、硬磁性体の棒材と該棒材に巻かれたコイルから構成され、前記コイルに単極性電流を通電することにより前記棒材は着磁され永久磁石化されることを特徴とする金庫盗難防止装置。
【請求項３】
前記棒材が永久磁石化された状態にあるとき、前記コイルに減衰交番電流を通電することにより、前記棒材は脱磁されて非永久磁石化されることを特徴とする請求項１又は２記載の金庫盗難防止装置。
【請求項４】
前記カバー部材の内部に金庫を昇降する昇降手段を設けたことを特徴とする請求項１〜３のいずれかに記載の金庫盗難防止装置。
【発明の詳細な説明】
【０００１】
【発明の属する技術分野】
本発明は、金庫盗難防止に関するものであり、金庫に取付け、金庫を設置場所から移動するのを困難にして金庫の盗難を防止する金庫盗難防止装置に関するものである。
【０００２】
【従来の技術】
従来、金庫は、防犯のため、耐火性の認定試験とは別に、金庫の開錠性の認定試験を行い、破壊目的の道具としての電気ドリル、電気カッタ、ガスバーナ、ハンマ等の使用に対して耐えられる時間等に応じて、等級をつけて販売するようになってきた。
【０００３】
また、今日、社会環境が悪化し、この種の犯罪が増加する傾向を示している。
【０００４】
【発明が解決しようとする課題】
しかしながら、上述した従来の金庫のように金庫の耐久性を強化しても、金庫自体を持ち去られたのでは、いかに開錠し難しくても効果がないに等しく、近年、事務所から金庫ごと持ち去られる事件が多発している。
【０００５】
例え、金庫が数トンの重さであっても、ジャッキ、台車等を併用すれば、数人で短時間に楽々と運び出すことができる為、金庫や事務所に警報装置等が取り付けられていたとしても、該警報を聞きつけ、警備担当者が駆けつけた時には既に金庫を持ち去られた後であることが多い。
【０００６】
また、金庫そのものが盗み出されるのを阻止する手段として、ボルト、チェーン、金具等の結合用部材を利用して金庫を床に繋ぎ止め、金庫の移動および盗難を阻止するアンカ止め手段が用いられているが、このアンカ止め手段は、金庫そのものが盗まれるのを阻止するのに有効であるが、金庫の固定を行なう際に使用する固定用ボルト等が床から引き抜かれるとアンカ止めの効果は失われてしまうため、ボルト等が容易に床から引き抜かれないことが必須であり、そのため金庫を設置する床の強度が不十分な場合には使用できないという問題点があった。
【０００７】
さらに、床の強度がアンカ止めを行なうのに十分な強度を有していても、テナントビル等の賃貸物件においては、床に穴をあける等の行為が制限されている場合があり、そのような場合にはアンカ止めの手段を利用できない。
【０００８】
さらに、金庫を移動したり撤去したりする際に、アンカ止めのために床にあけた穴の補修が必要となり、また補修しても床の美観を損ねる場合がある。
【０００９】
また、金庫自体もアンカ止めに対応した金庫でなければ行えず、現在ユーザが利用している金庫に加工なしに施すことができないという問題点があった。
【００１０】
さらに、金庫と床との間に隙間が出来てしまうと、いくらアンカ止めをしたとしても、その隙間にジャッキ等の爪を差し込むことにより、簡単に抜かれてしまうという問題点があった。
【００１１】
また、金庫の設置面や裏面に板等をビス止め等し、該板上に家具等を配置して、金庫を移動しづらくする方法も提案されているが、アンカ止め等に対応する金庫でなければ取り付けの際に金庫を加工する必要があり、金庫の強度を損なう恐れがあるという問題点があった。
【００１２】
また、アンカ止め等に対応する金庫であっても、金庫と底板との接合部が外部から分かってしまうため、上述した破壊目的の道具（電気ドリル、電気カッタ、ガスバーナ、ハンマ等）で簡単に分離されてしまうという問題点もあった。
【００１３】
本発明は、上記の問題点を解決するためになされたもので、本発明の目的は、金庫を簡単に移動できなくする為に、金庫に付帯部材（金庫に取り付けることにより少なくとも金庫の見かけ上の寸法を大きくする）を取り付け、且つ取り付け部分をカバー部材で覆って、金庫と付帯部材とを容易に分離不可能に一体化して、見かけ上、金庫を出入り口より大きくすると同時に、金庫のバランスを悪くし運搬し難い形状とし、犯行時間を長引かせて、警備担当者が駆けつけるまでの時間を得ることができる金庫盗難防止装置を提供することである。
【００１４】
【課題を解決するための手段】
本発明に係る第１の発明は、金庫に取り付けることにより少なくとも金庫の見かけ上の寸法を大きくする硬磁性体の付帯部材（図１，図２に示す底板１０３）と、前記付帯部材と金庫（図１，図２に示す金庫１０１）との間に設けられ、前記付帯部材と金庫とを磁力により固着する第１の固着手段（図２に示す永電磁石２０１）と、前記付帯部材と金庫との固着部分を隙間無く覆う硬磁性体のカバー部材（図１，図２に示すカバー部１０２）と、前記カバー部材の内側に設けられ、前記付帯部材と前記カバー部材とを磁力により固着する第２の固着手段（図２に示す永電磁石２０２）とを有し、前記第１の固着手段（図２に示す永電磁石２０１）及び第２の固着手段（図２に示す永電磁石２０２）は、それぞれ、硬磁性体の棒材（図３に示す心棒３０１）と該棒材に巻かれたコイル（図３に示すコイル３０２）から構成され、前記コイルに単極性電流を通電する（図４に示す電源装置４００等から極性が同一の電流を通電する）ことにより前記棒材は着磁されて永久磁石化されることを特徴とする。
【００１５】
本発明に係る第２の発明は、金庫に取り付けることにより少なくとも金庫の見かけ上の寸法を大きくする硬磁性体の付帯部材（図１，図２に示す底板１０３）と、前記付帯部材と金庫（図１，図２に示す金庫１０１）との間に設けられ、前記付帯部材と金庫とを磁力により固着する第１の固着手段（図２に示す永電磁石２０１）と、前記付帯部材と金庫との固着部分を隙間無く覆う硬磁性体のカバー部材（図１，図２に示すカバー部１０２）と、前記カバー部材の内側に設けられ、前記付帯部材と前記カバー部材とを機械的に固着する第３の固着手段（図示しないビス等）とを有し、前記第１の固着手段（図２に示す永電磁石２０１）は、硬磁性体の棒材（図３に示す心棒３０１）と該硬磁性体に巻かれたコイル（図３に示すコイル３０２）から構成され、前記コイルに単極性電流を通電する（図４に示す電源装置４００等から極性が同一の電流を通電する）ことにより前記棒材は着磁されて永久磁石化されることを特徴とする。
【００１６】
本発明に係る第３の発明は、前記棒材が永久磁石化された状態にあるとき前記コイルに減衰交番電流を通電する（図４に示す電源装置４００等から極性が交互に反転し振幅が徐々に小さくなる電流を通電する）ことにより、該棒材は脱磁されて非永久磁石化されることを特徴とする。
【００１７】
本発明に係る第４の発明は、前記カバー部材の内部に金庫を昇降する昇降手段（図７に示す昇降装置７００）を設けたことを特徴とする。
【００１８】
【発明の実施の形態】
〔第１実施形態〕
図１は、本発明の第１実施形態を示す金庫盗難防止装置の概観を示す斜視図である。
【００１９】
図において、１０３は、金庫１０１に取り付けることにより少なくとも金庫１０１の見かけ上の寸法を大きくする付帯物としての底板であり、鉄等の硬磁性体で構成され、床等の上に設置される。この底板１０３と金庫１０１とは後述する図２に示す永電磁石２０１によって磁力により固着されている。１０２はカバー部で、このカバー部１０２も鉄等の硬磁性体で構成され、金庫と同様に後述する永電磁石２０２によって磁力により底板１０３と固着されている。
【００２０】
１０４はコネクタで、永電磁石２０１，２０２の着磁および脱磁（消磁）の際に使用される。
【００２１】
また、図１（ｂ）に示すように、カバー部１０２は、上面１０２ａと側面１０２ｂとから構成されており、この上面１０２ａには、金庫の設置面のサイズ（ｗ×ｈ）とほぼ同一サイズ（ｗ×ｈ）の金庫収納穴１０２ｃを有し、この金庫収納穴１０２ｃに金庫１０１の底部を隙間無く収納できる（金庫の開閉に支障が生じない程度に金庫１０１をカバー部１０２の中に入れる）ようになっている。このように、カバー部１０２は、金庫１０１と底板１０３の固着部に覆い被さるように設置され（金庫の開閉に支障が生じない程度に金庫１０１をカバー部１０２の中に入れた状態）、金庫１０１と底板１０３を隙間なく一体化した状態（金庫１０１と底板１０３の固着部分が完全に覆われた状態）になっている。
【００２２】
また、金庫１０１自体が本発明の金庫盗難防止装置における蓋の役目をはたしており、金庫１０１とカバー部１０２により、金庫１０１と底板１０３と固着部分及び隙間を覆うため、ジャッキ等で強引に分離される恐れもない。
【００２３】
なお、金庫１０１及びカバー部１０２は、底板１０３の重心より外れた位置に配置することが望ましい。これにより、悪意のある者が、底板１０３と一体化された金庫１０１を運ぶ際の運搬を困難にさせることができる。
【００２４】
また、この底板１０３の上に家具等を配置して、底板１０１と一体化された金庫１０１を運ぶ際の運搬を困難にさせることも可能である。
【００２５】
さらに、底板１０３は、設置環境に合わせたサイズ（設置される部屋の出入り口のサイズより大きいサイズ）とすることが望ましい。例えば、設置されるオフィスの出入り口のサイズが「９０ｃｍ×１８０ｃｍ」であったなら、底板１０３のサイズを「２０２ｃｍ×２０２ｃｍ」より大きくするように構成する。これにより、底板１０３と一体化された金庫１０１をオフィスの出入り口より外へ持ち出すことを防止することができる。
【００２６】
また、金庫１０１と底板１０３、カバー部１０２と底板１０３はそれぞれ永電磁石により固着されているが、さらに金庫１０１とカバー部材１０２とを永電磁石で固着するように構成してもよい。これにより、さらに、金庫１０１と底板１０３及びカバー部１０２とを分離することが困難になる。
【００２７】
さらに、本実施形態では、金庫１０１に付帯物として底板１０３を固着する場合について説明したが、付帯物の形状は底板１０３のように板状の部材に限られるものではなく、Ｌ字状であっても、直方体等であってもよい。また、その固着箇所は、金庫の設置面に限られるものではなく、側面等他の面であってもよい。
【００２８】
また、底板１０３の重量は大きい方が盗難防止効果が上がり、底板１０３そのものの重量を大きくしてもよいし、底板１０３に不図示のおもりを付加してもよい。
【００２９】
さらに、底板１０３におもりを付加する場合、底板１０３の重心より外れた位置に付加し、バランスを崩し運搬しづらくするようにしてもよい。
【００３０】
図２は、図１に示した金庫盗難防止装置と金庫との固着状態を示す図であり、図１と同一のものには同一の符号を付してある。なお、（ａ）は図１に示した金庫盗難防止装置を正面から見た場合の断面図であり、（ｂ）は図１に示した金庫盗難防止装置を上方から見た場合の断面図である。
【００３１】
図において、２０１は永電磁石で、金庫１０１と底板１０３とを磁力により固着する。
【００３２】
２０２は永電磁石で、カバー部１０２と底板１０３とを磁力により固着する。この永電磁石２０１，２０２の構成については後述する。
【００３３】
このように、本発明の金庫盗難防止装置は、床に敷かれた大きな底板１０３と金庫１０１を外部からビス止め等一切行うことなく一体化させる機能を持ったものである。
【００３４】
図３は、図２に示した永電磁石２０１，２０２の構成を示す図である。
【００３５】
図において、３０１は硬磁性体で構成された心棒であり、この心棒３０１にはコイル３０２が巻きつけられている。
【００３６】
このコイル３０２に対して後述する単極性電流を通電することにより、心棒３０１を永久磁石化することができる。即ち、コイル３０２に対する通電を解除した後も、心棒３０１は着磁状態を半永久的に保持する。
【００３７】
また、心棒３０１が永久磁石化（着磁）されている状態にあるとき、コイル３０２に対して後述する減衰交番電流をかけることにより、永久磁石化されている心棒３０１を非永久磁石化（脱磁）することができる。即ち、コイル３０２に対する通電を解除した後も、心棒３０１は着磁されていない状態を保持する。
【００３８】
本発明では、この永電磁石の特徴を生かし、磁性体（鉄等）で構成される金庫１０１を永電磁石２０１の磁力で底板１０３に固着する。また、金庫１０１と底板１０３の固着部を覆う硬磁性体で構成されるカバー部１０２と底板１０３とを永電磁石２０１の磁力で固着することにより、金庫１０１と底板１０３の固着部を隠し、ジャッキ等により、金庫１０１と底板１０３が分離されるのを防止することができる。
【００３９】
なお、永電磁石２０１，２０２を、それぞれ複数個使用して吸着力を増加させるが、その大きさ、その数、及びその配列パターンは、図２に示したパターンに限定されるものではない。
【００４０】
また、金庫のサイズ及びセキュリティレベル等に応じて、永電磁石２０１，２０２のサイズ、配置数、配置パターンを変更することが望ましい。永電磁石２０１，２０２の設置数を増加させたり、より大きなサイズの永電磁石を使用することにより、底板１０３との固着力を増加することが可能である。
【００４１】
図４は、図３に示した永電磁石２０１，２０２の着磁（永久磁石化）および脱磁（非永久磁石化）を行う電源装置の構成の一例を示すブロック図であり、図１〜図３と同一のものには同一の符号を付してある。
【００４２】
図において、４０２はＡＣ／ＤＣコンバータであり、交流電源（ＡＣ）４０１から供給される交流電源を直流電源化する。４０４は切換スイッチで、接点ａ側又は接点ｂ側に切り換えることができる。４０５はコンデンサであり、切換スイッチ４０４を接点ａ側に切り換えることにより、ＡＣ／ＤＣコンバータ４０２からの供給電源（直流）によって充電される。
【００４３】
また、コンデンサ４０５が充電された状態で、かつ電源プラグ４０８がコネクタ１０４に連結され、スイッチ４０７がオフの状態から、切換スイッチ４０４を接点ｂ側に切り換えることにより、コンデンサ４０５の充電電力がダイオード４０６，電源プラグ４０８，コネクタ１０４を介して、永電磁石２０１，２０２のコイル３０２に供給される。このとき、コンデンサ２４の充電電力は、切換スイッチ４０４，ダイオード４０５，電源プラグ４０８，コネクタ１０４を介して永電磁石２０１，２０２のコイル３０２に単極性電流（極性が同一の電流）として出力される。これにより、永電磁石２０１，２０２は、永久磁石化され、通電が終了した後も、着磁状態を保持することができる。
【００４４】
また、永電磁石２０１，２０２が永久磁石化された状態で、かつ切換スイッチ４０４を接点ａ側に予め切換えてコンデンサ４０５を充電し、電源プラグ４０８がコネクタ１０４に連結され、スイッチ４０７がオフの状態から、スイッチ４０７がオンされ、且つそれと同時にまたはそれと前後して、切換スイッチ４０４が接点ｂ側に切換えられれば、コンデンサ４０５の充電電力が、永電磁石２０１，２０２のコイル３０２に、切換スイッチ４０４、スイッチ４０７、電源プラグ４０８、及びコネクタ１０４を通じて流れる。
【００４５】
この場合、コンデンサ４０５と永電磁石２０１，２０２のコイル３０２とで直列共振回路が構成されていることから、コイル３０２に、コンデンサ４０５の充電電力に基づく交番電流が流れ、そして、その交番電流の振幅がコイル３０２が有する抵抗によって時間とともに減衰するため、コンデンサ４０５の充電電力が、切換スイッチ４０４，スイッチ４０７，電源プラグ４０８に、減衰交番電流（極性が交互に反転し振幅が徐々に小さくなる電流）として出力される。これにより、永久磁石化された永電磁石２０１，２０２は、脱磁（消磁）されて、非永久磁石化される。
【００４６】
なお、本発明の金庫盗難防止装置の永電磁石２０１，２０２の着磁（永久磁石化）および脱磁（非永久磁石化）を行う電源装置は、図４の構成に限られるものではなく、永電磁石２０１，２０２のコイル３０２に対して、単極性電流（極性が同一の所定の電流）と、減衰交番電流（極性が交互に反転し振幅が徐々に小さくなる所定の電流）を供給可能な電源装置であれば、どのような装置であってもよい。
【００４７】
また、図４では、永電磁石２０１，２０２の各コイル３０２をそれぞれ並列に接続し、同時に通電されるように構成されているが、永電磁石２０１，２０２の各コイル３０２に対して別々に通電されるように構成してもよい。
【００４８】
次に、図１〜図３及び図４を参照して、本発明の金庫盗難防止装置の設置・解除の方法について説明する。
【００４９】
まず、金庫盗難防止装置の設置手順は、底板１０３を床等の上に設置し、図２に示すように、カバー部１０２と永電磁石２０１，２０２を設置する。この時、永電磁石２０２がカバー部１０２の上面裏側に接触するように設置し、永電磁石２０１がカバー部１０２の金庫収納穴１０２ｃに位置するように設置する。
【００５０】
次に、金庫１０１を上方から、カバー部１０２の金庫収納穴１０２ｃに落とし込み、永電磁石２０１上に設置する（即ち、金庫１０１で金庫盗難防止装置に蓋をする）。
【００５１】
そして、図４に示した切換スイッチ４０４を接点ａ側に接続してコンデンサ４０５への充電を開始するとともに、コネクタ１０４と電源装置４００の電源プラグ４０８とを接続する。
【００５２】
次に、コンデンサ４０５の充電が十分に行われると、スイッチ４０７がＯＦＦの状態で切換スイッチ４０４を接点ｂ側に切り換えて、永電磁石２０１，２０２のコイル３０２に単極性電流を通電する。
【００５３】
これにより、永電磁石２０１，２０２は永久磁石化され、金庫１０１と底板１０３、カバー部１０２と底板１０３とがそれぞれ磁力により固着される。
【００５４】
次に、金庫盗難防止装置の解除手順は、図４に示した切換スイッチ４０４を接点ａ側に接続してコンデンサ４０５への充電を開始するとともに、コネクタ１０４と電源装置４００の電源プラグ４０８とを接続する。
【００５５】
次に、コンデンサ４０５の充電が十分に行われると、スイッチ４０７がＯＮの状態で切換スイッチ４０４を接点ｂ側に切り換えて、永電磁石２０１，２０２のコイル３０２に減衰交番電流を通電する。
【００５６】
これにより、永電磁石２０１，２０２が非永久磁石化され、金庫１０１と底板１０３、カバー部１０２と底板１０３とがそれぞれが分離可能となる。
【００５７】
以上説明したように、本発明の金庫盗難防止装置は、金庫および建物に一切加工を施す必要がなく、鉄等の磁性体で構成された金庫であれば、どのような金庫にも使用することができ、加工により金庫の強度を損なう恐れもない。また、アンカ止めのように、防犯効果が床の強度に依存したり、設置により建物を傷つけることもない。
【００５８】
また、常に磁力を出している通常の永久磁石では、無用な箇所に吸着するため設置並びに分離が非常に困難であり使用できず、さらに電磁石では、電気が切断されると無力になり防犯用としては使用できないが、本発明の金庫盗難防止装置に使用される永電磁石では、設置及び分離を容易にするとともに、電気を切断されても着磁状態を半永久的に保持することができるため、数十年の使用にも容易に対応することができ、優れた防犯効果を奏する。
【００５９】
なお、永電磁石は、専用の電源装置（例えば、図４に示した電源装置）を使用して減衰交番電流を通電しなければ、脱磁できないため、部外者には、容易に脱磁することができない。逆に、専用の電源装置を使用して減衰交番電流を通電することにより、容易に脱磁できるため、レイアウト変更および分離等の取り外す作業を専門業者により簡単に行うことができる。
【００６０】
また、何らかの手立てで金庫１０１と底板１０３を強引に分離しようとしても、それらを磁力の影響しない距離まで引き離さなければならず、分離は大変困難である。
【００６１】
なお、外部に現れるコネクタ１０４は、特殊な形状とし、専用のプラグでなければ挿入できないように構成してもよい。
【００６２】
また、外部に現れるコネクタ１０４のダミーコネクタをカバー部１０２に対して複数設けるように構成してもよい。さらに、コイル３０２に通電するための２本の口出線３０２ａ，３０２ｂをそれぞれ異なるコネクタに接続し複数のコネクタを組み合わせて通電しなければコイル３０２に通電することが不可能なように構成してもよい。
【００６３】
これらにより、悪意のある者が、コネクタに対して電流を通電し、永電磁石２０１，２０２を脱磁しようとしても、正しいコネクタを探し当てるまでに時間を要することとなる。なお、例え正しいコネクタを探し当てたとしても、専用の電源装置を用いなければ、永電磁石２０１，２０２を容易に脱磁することはできない。
【００６４】
また、本実施形態では、底板１０３と永電磁石２０１，２０２を、永電磁石２０１，２０２の磁力により固着する場合について説明したが、底板１０３と永電磁石２０１，２０２とはビス等により機械的に固着し、永電磁石２０１，２０２と金庫１０１，カバー部１０２のみを、永電磁石２０１，２０２の磁力により固着するように構成してもよい。
【００６５】
さらに、底板１０３とカバー部１０２とを、カバー部１０２の内側よりビス等により機械的に固着し、金庫１０１のみを、永電磁石２０１の磁力により底板１０３と固着するように構成してもよい。
【００６６】
〔第２実施形態〕
上記第１実施形態では、底板１０３を一枚板で構成する場合について説明したが、底板１０３が２枚，３枚，４枚，５枚等の複数の板から構成されるようにしてもよい。
【００６７】
図５は、本発明の第２実施形態を示す金庫盗難防止装置における底板１０３の構成を示す図である。
【００６８】
図５（ａ）において、５０１〜５０４はそれぞれ底板で、図５（ｂ）に示すように、結合板５０５と結合板側からビス５１０等で結合されている。
【００６９】
また、各底板５０１〜５０４の側面は、図５（ｂ）の５１０に示すように、それぞれ加工され、底板５０１〜５０４がそれぞれ組み合わさり契合されるように構成してもよい。
【００７０】
さらに、底板５０１〜５０４上にカバー部１０２を配置した際には、図５（ｃ）に示すように、結合板５０５は、カバー部１０２の内部に収まるように構成されている。これにより、設置後は、この結合部は外部から完全に隠れ、容易に分離できないようになる。
【００７１】
以上の構成により、顧客の設置環境に合わせたサイズとする底板１０３を、２枚あるいは３枚から構成し、１枚の底板の寸法と重量を小さくして、搬入と組立作業の容易性を配慮している。
【００７２】
〔第３実施形態〕
上記第１実施形態では、カバー部１０２は、側面と上面が一体構造である場合について説明したが、カバー部１０２が、側面を構成する４枚の側面板と上面を構成する上面板から構成されるようにしてもよい。
【００７３】
図６は、本発明の第３実施形態を示す金庫盗難防止装置におけるカバー部１０２の構成を示す図であり、図１，図２と同一のものには同一の符号を付してある。
【００７４】
図において、６０３は４枚の側面板で、ビス６０４等により結合部材６０２に内側より固定されている（外部からは判別不可能）。６０１は上面板で、結合部材６０２及び永電磁石２０２上に載せられ、永電磁石２０２の磁力により図示しない底板１０３と固定されている。これにより、金庫１０１を据え付けた時、金庫１０１と底板１０３の間の隙間を無く覆うことができる。
【００７５】
以上の構成により、カバー部材の寸法と重量を小さくして、搬入の容易性を配慮している。
【００７６】
〔第４実施形態〕
本実施形態では、金庫盗難防止装置内にジャッキ等の昇降装置を設け、金庫の設置及び分離を容易にするように構成する。
【００７７】
図７は、本発明の第４実施形態を示す金庫盗難防止装置における昇降装置の設置状態を示す図であり、図１，図２と同一のものには同一の符号を付してある。
【００７８】
図７（ａ）において、７００はジャッキ等の昇降装置であり、スクリューねじ７０１を回転させることにより昇降することができる。
【００７９】
図７（ｂ）において、８００は昇降装置駆動装置で、モータ等の回転部８０１と接続プラグ８０２を有するものである。、また、図７（ｃ）に示す接続プラグ挿入穴８１０より接続プラグ８０２を挿入して、昇降装置７００の連結フランジ７０３に接続し、回転部８０１の動力を昇降装置７００に伝えることにより、昇降装置７００を昇降させることができる。
【００８０】
なお、この連結フランジ７０２は、特殊な形状になっており、専用の接続プラグ８０２を備えた昇降装置駆動装置を用いなければ、昇降装置を駆動できないように構成されている。
【００８１】
また、図７（ｃ）に示すように、カバー部１０２は、接続プラグ８０２を挿入する接続プラグ挿入穴８１０を有しており、金庫１０１を設置後は、該接続プラグ挿入穴８１０を外部から目隠し板８１１と特殊な形状のねじ８１２等で塞ぐものとする。
【００８２】
以上の構成により、重量のある金庫の本発明の金庫盗難防止装置への設置並びに取り外しを、容易に行うことができる。
【００８３】
以上示したように、本発明の金庫盗難防止装置は、磁性体で構成された金庫であれば、どのような金庫に対しても取り付け可能であり、現状使用中の金庫に対して容易に取り付けることができ、取り付けの際に、金庫にも建物にも何ら加工を施す必要がない。
【００８４】
また、本発明の金庫盗難防止装置は金庫に対して、ジャッキ等の爪が入る隙間なく、磁力等により全てカバーの内側より固着できるため、金庫と金庫盗難防止装置とを分離することは非常に困難である。
【００８５】
さらに、本発明の金庫盗難防止装置が取り付けられ、金庫と一体化された状態では、重心が不安定な位置になり、外部の力で金庫を持ち上げたり、移動させることが非常に困難になる。
【００８６】
また、底板は、設置されるオフィスの出入り口より大きい寸法にすることにより、本発明の金庫盗難防止装置と一体となった金庫をオフィスより持ち出すことができなくなる。
【００８７】
さらに、磁力と金庫に取り付けられた本金庫盗難防止装置は、何らかの手立てで強引に分離しようとしても磁力の影響しない距離まで引き離さなければならないばかりでなく、金庫を底板と引き離すためには、まずカバー部を底板と引き離す必要があり、分離は大変困難になる。
【００８８】
また、上記各実施形態のいずれかを組み合わせた構成も全て本発明に含まれるものである。
【００８９】
【発明の効果】
以上説明したように、本発明によれば、金庫に取り付けることにより少なくとも金庫の見かけ上の寸法を大きくする硬磁性体の付帯部材と、前記付帯部材と金庫との間に設けられ、前記付帯部材と金庫とを磁力により固着する第１の固着手段と、前記付帯部材と金庫との固着部分を隙間無く覆う硬磁性体のカバー部材と、前記カバー部材の内側に設けられ、前記付帯部材と前記カバー部材とを磁力により固着する第２の固着手段とを有し、前記第１の固着手段及び第２の固着手段は、それぞれ、硬磁性体の棒材と該棒材に巻かれたコイルから構成され、前記コイルに単極性電流を通電することにより前記棒材は着磁されて永久磁石化され、該棒材が永久磁石化された状態にあるとき前記コイルに減衰交番電流を通電することにより該棒材は脱磁されて非永久磁石化されるので、金庫を何ら加工することなく、またその取り付け部を外から見えないように、金庫に底板等の付帯部材を取り付けて容易に分離不可能に一体化させることができる。
【００９０】
従って、金庫と底板等の付帯物との間にジャッキ等のツメが入る隙間がなく、金庫と付帯部材を分離することができない。また、付帯部材と金庫が一体化されたことにより一体化された状態での重心ではバランスが悪くなり、また運搬し辛い形状とし、金庫の運搬を困難にし、悪意を以って金庫を持ち出す者の犯行時間を長引かせて、警備担当者等が駆けつけるまでの時間を得ることができる。さらに、付帯部材を建物の出入り口より大きくすることにより、金庫を建物の外に運搬できないようにすることができる。また、金庫や建物を加工する必要がなく、磁性体で構成される金庫であれば、どのような金庫にも取り付けすることができる。さらに、永電磁石を用いることにより、数十年もの使用に対応することができる。また、何らかの手立てで金庫と付帯部材を強引に分離しようとしても、それらを磁力の影響しない距離まで引き離さなければならず、分離は大変困難である。さらに、分離する際、専門の業者が専用の電源を用いて容易に分離することができる等の効果を奏する。
【図面の簡単な説明】
【図１】本発明の第１実施形態を示す金庫盗難防止装置の概観を示す斜視図である。
【図２】図１に示した金庫盗難防止装置と金庫との固着状態を示す図である。
【図３】図２に示した永電磁石の構成を示す図である。
【図４】図３に示した永電磁石の着磁（永久磁石化）および脱磁（非永久磁石化）を行う電源装置の構成の一例を示すブロック図である。
【図５】本発明の第２実施形態を示す金庫盗難防止装置における底板の構成を示す図である。
【図６】本発明の第３実施形態を示す金庫盗難防止装置におけるカバー部の構成示す図である。
【図７】本発明の第４実施形態を示す金庫盗難防止装置における昇降装置の設置状態を示す図である。
【符号の説明】
１０１  金庫
１０２  カバー部
１０２ｃ  金庫収納穴
１０３  底板
１０４  コネクタ
２０１，２０２  永電磁石
３０１  心棒
３０２  コイル
【図１】
2004197380.tif 000003
【図２】
2004197380.tif 000004
【図３】
2004197380.tif 000005
【図４】
2004197380.tif 000006
【図５】
2004197380.tif 000007
【図６】
2004197380.tif 000008
【図７】
2004197380.tif 000009